(57)【要約】【課題】本発明は、センタとの間で送受信できない圏外のときにセンタで受信された情報を確認する携帯端末および圏外時間管理プログラムに関し、携帯端末を持参して移動中に圏外に出たときの時間を積算して表示すると共に巡回時間となったときに自動的にセンタに問い合わせて電子メールなどの存在を確認し、圏外のときに受信した電子メールなどについて長時間の間その存在に気が付かない事態を解消することを目的とする。【解決手段】移動中に送受信できない圏外となったときの時間を積算する手段と、積算した圏外時間が所定巡回時間となり、かつ送受信できる圏内となったときにセンタに通信して着信した電子メールなどの情報の有無を問い合わせてその結果を表示、および積算した圏外時間をリセットする手段とを備える。【選択図】　図１
2004080368.tif 000002
【特許請求の範囲】
【請求項１】
センタとの間で送受信できない圏外のときに当該センタで受信された情報を確認する携帯端末において、
移動中に送受信できない圏外となったときの時間を積算する手段と、
前記積算した圏外時間が所定巡回時間となり、かつ送受信できる圏内となったときにセンタに通信して着信した電子メールなどの情報の有無を問い合わせてその結果を表示、および前記積算した圏外時間をリセットする手段と
を備えたことを特徴とする携帯端末。
【請求項２】
前記圏外時間を表示する表示手段を備えたことを特徴とする請求項１記載の携帯端末。
【請求項３】
圏内のときにセンタとの間で送受信したときに、圏外のときにセンタで受信された電子メールなどの情報があったときに表示すると共に、前記積算した圏外時間をリセットする手段を備えたことを特徴とする請求項１あるいは請求項２記載の携帯端末。
【請求項４】
前記積算した圏外時間のログを採取してその平均あるいは指定された時間を、前記所定巡回時間と設定する手段を備えたことを特徴とする請求項１から請求項３のいずれかに記載の携帯端末。
【請求項５】
センタとの間で送受信できない圏外のときに当該センタで受信された情報を確認する圏外時間管理プログラムにおいて、
コンピュータに、
移動中に送受信できない圏外となったときの時間を積算する手段と、
前記積算した圏外時間が所定巡回時間となり、かつ送受信できる圏内となったときにセンタに通信して着信した電子メールなどの情報の有無を問い合わせてその結果を表示、および前記積算した圏外時間をリセットする手段と
として機能させるための圏外時間管理プログラム。
【発明の詳細な説明】
【０００１】
【発明の属する技術分野】
本発明は、センタとの間で送受信できない圏外のときに当該センタで受信された情報を確認する携帯端末および圏外時間管理プログラムに関するものである。
【０００２】
【従来の技術】
従来、携帯電話を持参して移動中に、電波が弱くなって送受信できない圏外にでると、着信した電子メールや伝言メッセージがセンタで受信された旨のステータスを当該携帯電話で受信できなかった。
【０００３】
【発明が解決しようとする課題】
このため、圏内に入ったときに他の電子メールや伝言メッセージをセンタで受信したり、送受信したりするまで、圏外のときにセンタで受信した電子メールや伝言メッセージの存在を知ることができなく、時として長時間の間、着信した電子メールや伝言メッセージの存在に気が付かないという問題があった。電子メールなどが着信していたことを長時間気が付かない事態を避けるために、圏外に出て圏内に入ったと思われるときに、センタに問い合わせて着信した電子メールなどの存在を確認する手間が生じてしまうという問題もあった。
【０００４】
本発明は、これらの問題を解決するため、携帯端末を持参して移動中に圏外に出たときの時間を積算して表示すると共に巡回時間となったときに自動的にセンタに問い合わせて電子メールなどの存在を確認し、圏外のときに受信した電子メールなどについて長時間の間その存在に気が付かない事態を解消することを目的としている。
【０００５】
【課題を解決するための手段】
図１を参照して課題を解決するための手段を説明する。
【０００６】
図１において、携帯端末１は、センタ４との間で送受信できない圏外のときに当該センタ４で受信された情報を確認する携帯端末であって、ここでは、圏外時間検出手段１１、巡回時間算出手段１２、センタ接続手段１３などから構成されるものである。
【０００７】
圏外時間検出手段１１は、携帯端末１が圏外に出たときの時間を積算するものである。
巡回時間算出手段１２は、巡回時間を算出して設定するものである。
【０００８】
センタ接続手段１３は、圏外時間が所定巡回時間となったときに基地局３を介してセンタ４との間で通信するものである。
【０００９】
センタ４は、基地局３を介して無線で携帯端末１との間で相互に通信するものであって、電子メールを受信したりなどするものである。
【００１０】
次に、動作を説明する。
携帯端末１を構成する圏外時間検出手段１１が移動中に送受信できない圏外となったときの時間を積算し、センタ接続手段１３が積算した圏外時間が所定巡回時間となり、かつ送受信できる圏内となったときに基地局３を介してセンタ４に通信して着信した電子メールなどの情報の有無を問い合わせてその結果を表示すると共に積算した圏外時間をリセットするようにしている。
【００１１】
この際、圏外時間を表示するようにしている。
また、圏内のときに基地局３を介してセンタ４との間で送受信したときに、圏外のときにセンタ４で受信された電子メールなどの情報があったときに表示すると共に、積算した圏外時間をリセットするようにしている。
【００１２】
また、巡回時間算出手段１２が積算した圏外時間のログを採取してその平均あるいは指定された時間を、巡回時間と設定するようにしている。
【００１３】
従って、携帯端末１を持参して移動中に圏外に出たときの時間を積算して表示すると共に巡回時間となったときに無線で自動的に基地局３を介してセンタ４に問い合わせて電子メールなどの存在を確認することにより、圏外のときに受信した電子メールなどについて長時間の間その存在に気が付かない事態を解消することが可能となる。
【００１４】
【発明の実施の形態】
次に、図１から図６を用いて本発明の実施の形態および動作を順次詳細に説明する。
【００１５】
図１は、本発明のシステム構成図を示す。
図１において、携帯端末１は、基地局３（あるいは基地局３を介してセンタ４）との間で送受信できない圏外のときにセンタ４で受信された情報（例えば電子メールが受信された旨（ステータス）、伝言メッセージが録音された旨（ステータス）、留守番電話に伝言が録音された旨（ステータス）などの情報）を確認する携帯端末であって、ここでは、圏外時間検出手段１１、巡回時間算出手段１２、センタ接続手段１３、送受信手段１４などから構成されるものである
圏外時間検出手段１１は、携帯端末１が圏外となった時間を積算するものである。
【００１６】
巡回時間算出手段１２は、圏外となった時間をもとに巡回時間を算出（例えば圏外となった時間のログを採取してその平均を巡回時間と算出）するものである（図５を用いて後述する）。
【００１７】
センタ接続手段１３は、基地局３を介してセンタ４との間を接続するものである。
【００１８】
送受信手段１４は、無線で基地局３との間で送受信するものである。
表示装置２は、携帯端末１に設けた表示装置であって、例えば液晶パネルなどである。
【００１９】
基地局３は、無線で携帯端末１との間で相互に通信するものである。
センタ４は、基地局３を介して無線で携帯端末１との間で相互に通信するものであって、ここでは、他の携帯端末１などから送信されて受信された電子メール、伝言メッセージなどを該当携帯端末１に通知したり、圏外のときは一時的に保管したり、問い合わせがあったときに保管している旨を返答したりなどするものである。
【００２０】
次に、図２のフローチャートの順番に従い、図１の構成の動作を詳細に説明する。
【００２１】
図２は、本発明の動作説明フローチャートを示す。
図２において、Ｓ１は、電源ＯＮする。これは、図１の携帯端末１の電源をＯＮにし、送受信可能状態とする。
【００２２】
Ｓ２は、積算時間を０に初期化（リセット）する。
Ｓ３は、通信する。これは、携帯端末１が無線で基地局３（あるいは更に基地局３を介してセンタ４）との間で通信を試み、通信可能な状態である圏内あるいは通信不可能状態である圏外を検出（例えば基地局３から放射された電波を受信してその強度が通信可能な状態である圏内あるいは通信不可能な状態である圏外を検出）する。
【００２３】
Ｓ４は、圏外か判別する。これは、Ｓ３で圏外（携帯端末１が無線で基地局３との間で通信不可能な状態）が検出されたか判別する。ＹＥＳの場合には、Ｓ５に進む。ＮＯの場合には、圏内と検出されたので、Ｓ４を繰り返す。
【００２４】
Ｓ５は、Ｓ４のＹＥＳで圏外と検出されたので、現在時刻を圏外開始時刻に設定する（例えば後述する図３の（ｂ）の圏外開始時刻”９：３０：３０”と設定する）。
【００２５】
Ｓ６は、圏外か判別する。これは、Ｓ４のＹＥＳで圏外と検出されてから連続して圏外の検出されたか判別する。ＹＥＳの場合には、Ｓ６を繰り返す。ＮＯの場合には、Ｓ４のＹＥＳで圏外となってから、圏内と検出されたので、Ｓ７に進む。
【００２６】
Ｓ７は、Ｓ６のＮＯで圏外から圏内になったと判明したので、（現在時刻ー圏外開始時刻）を積算時間に加算して新たな積算時間とする。これにより、圏外の時間が逐次積算されることとなる。
【００２７】
Ｓ８は、積算時間＞巡回時間か判別する。これは、圏外となった時間を積算した積算時間が所定の巡回時間よりも大きくなったか判別する。ＹＥＳの場合には、圏内、かつ積算時間が巡回時間よりも大となったと判明したので、Ｓ９に進む。ＮＯの場合には、Ｓ４に戻り繰り返す。
【００２８】
Ｓ９は、センタ接続する。これは、Ｓ８のＹＥＳで圏内かつ積算時間が巡回時間よりも大となったと判明したので、携帯端末１が無線で基地局３を介してセンタ４と接続する。
【００２９】
Ｓ１０は、ステータスの受信成功か判別する。これは、Ｓ９で携帯端末１が基地局３を介してセンタ４と接続し、センタ４から電子メールを保管中である旨のステータス、伝言メッセージを保管中である旨のステータスなどを、当該携帯端末１が受信に成功したか判別する。ＹＥＳの場合には、圏外中にセンタ１に着信した電子メールや伝言メッセージなどのステータスの受信を携帯端末１２が成功したと判明したので、積算時間をリセットし、Ｓ３に戻り繰り返す。そして、携帯端末１は表示装置２上に受信したステータス（センタ４で保管中の電子メールや伝言メッセージなどの書誌的な情報、例えば受信日時、送信元、タイトルなどの情報）を表示し、当該携帯端末１を持参している利用者に圏外中に着信した電子メールや伝言メッセージなどを知らせる。
【００３０】
以上によって、利用者が持参する携帯端末１が圏外となると自動的に当該圏外の時間を積算し、積算時間が所定巡回時間を経過すると無線で基地局３を介してセンタ４に接続し、圏外中に着信した電子メールや伝言メッセージなどのステータスを受け取って当該携帯端末１の表示装置２上に提示して利用者に自動的に知らせることが可能となる。これにより、圏外中に着信した電子メールなどを長時間に渡ってその存在に気が付かない事態を解消することが可能となる。
【００３１】
図３は、本発明の説明図を示す。
図３の（ａ）は、巡回時間を３０分に設定した状態を示す。この状態では、図示の下記のように設定する。
【００３２】
巡回時間（秒）　圏外開始時刻　　積算時間（秒）
１８００　　　　０　　　　　　　０
ここで、巡回時間は圏外となった時間を積算した積算時間が当該巡回時間と等しくあるいは大きくなったときに携帯端末１がセンタ４と接続し、圏外中に着信した電子メールなどのステータスを受信して表示させる時間間隔である。圏外開始時刻は携帯端末１が送受信不可となった開始時刻（圏外開始時刻）である。積算時間（秒）は圏外となった時間を積算した時間（秒）である。
【００３３】
図３の（ｂ）は、９時３０分３０秒に圏外地域に入った状態を示す。この状態では、携帯端末１と無線で基地局３を介してセンタ４との通信が不可となった時刻であって、ここでは、図示の下記のように設定する。
【００３４】
巡回時間（秒）　圏外開始時刻　　積算時間（秒）
１８００　　　　９：３０：３０　０
ここで、圏外開始時刻は携帯端末１が移動して圏外地域（基地局３と通信不可の圏外地域）に入った時刻”９：３０：３０”を設定する。
【００３５】
図３の（ｃ）は、９時５０分０秒に圏外地域から出た状態を示す。この状態では、携帯端末１と無線で基地局３を介してセンタ４との通信が可能となるまでの時刻、ここでは、圏外開始時刻”０９：３０：３０”から圏外地域から出た９時５０分０秒までの圏外の積算時間”１１７０（秒）”を算出して図示の下記のように設定する。
【００３６】
巡回時間（秒）　圏外開始時刻　　積算時間（秒）
１８００　　　　９：３０：３０　１１７０
図３の（ｄ）は、１０時１０分０秒に圏外地域に入った状態を示す。この状態では、携帯端末１と無線で基地局３を介してセンタ４との通信が再度不可となった時刻であって、ここでは、図示の下記のように設定する。
【００３７】
巡回時間（秒）　圏外開始時刻　　積算時間（秒）
１８００　　　　１０：１０：０　１１７０
図３の（ｅ）は、１０時２５分３０秒に圏外地域から出た状態を示す。この状態では、携帯端末１と無線で基地局３を介してセンタ４との通信が可能となるまでの時刻、ここでは、圏外開始時刻”１０：１０：０”から圏外地域から出た１０時２５分３０秒までの圏外の積算時間”９３０（秒）”を算出して加算し図示の下記のように設定する。
【００３８】
巡回時間（秒）　圏外開始時刻　　積算時間（秒）
１８００　　　　１０：１０：０　２１００
図３の（ｆ）は、巡回時間に達し、センタと接続成功した状態を示す。この状態では、積算時間２１００秒が巡回時間１８００秒を経過し、かつ圏内であったので、携帯端末１が無線で基地局３を介してセンタ４と接続し、圏外中に着信した電子メールなどのステータスを当該携帯端末１が受信して表示装置２に表示して利用者に知らせると共に、積算時間をリセット（”０”）し図示の下記のように設定する。
【００３９】
巡回時間（秒）　圏外開始時刻　　積算時間（秒）
１８００　　　　１０：１０：０　０
以上のように、携帯端末１を持参した利用者が移動して当該携帯端末１が無線で基地局３との間で通信不可の圏外に出た時間を積算した積算時間が巡回時間を超え、かつ圏内のときに基地局３を介してセンタ４と自動接続して圏外中に着信した電子メールなどのステータスを受信して表示装置２上に表示して利用者に知らせることができ、圏外中に着信した電子メールなどを長時間にわたってその存在を気が付かない事態を回避することが可能となる。
【００４０】
図４は、本発明の動作説明フローチャート（その２）を示す。
図４において、Ｓ２１は、通信する。これは、携帯端末１を持参した利用者が当該携帯端末１を操作し、無線で基地局３を介してセンタ４との間で通信する。
【００４１】
Ｓ２２は、メール送信あるいは電話発呼か判別する。ＹＥＳの場合には、Ｓ２３でメール送信あるいは通話しその終了後に、Ｓ２４でセンタ接続して圏外中などに着信した電子メールなどのステータスを当該携帯端末１が受信して表示装置２上に表示して利用者に知らせ、Ｓ２５で積算時間をリセット（０クリア）する。一方、Ｓ２２のＮＯの場合には、メール送信、電話発呼でないと判明したので、Ｓ２６に進む。
【００４２】
Ｓ２６は、メール着信か判別する。これは、携帯端末１が圏内にある状態で、センタ４から基地局３を介して当該携帯端末１にメール着信の旨のステータスが受信されたか判別する。ＹＥＳの場合には、Ｓ２７でメールを受信し、その旨を表示装置２上に表示し、Ｓ２５で積算時間をリセットする。一方、Ｓ２６のＮＯの場合には、Ｓ２８に進む。
【００４３】
Ｓ２８は、通話着信か判別する。ＹＥＳの場合には、通話着信であったのでベル音を発声し、利用者が通話ボタンを押下したときに、Ｓ２９で通話（電話）を行い、通話終了後に、Ｓ２０でセンタ受信し、着信していた電子メールなどのステータスを携帯端末１が受信して表示装置２に表示して利用者に知らせ、Ｓ２５で積算時間をリセットする。一方、Ｓ２８のＮＯの場合には、終了する。
【００４４】
以上によって、利用者が圏内のときに携帯端末１を操作して電子メール送信、電話発呼したり、更に、相手方から当該携帯端末１にメール着信あるいは通話着信したりした場合に、センタ接続してセンタ４に保管されている着信した電子メールなどのステータスを当該携帯端末１が受信して表示装置２上に表示して利用者に特に圏外中に着信した電子メールなどのステータスを自動的に提示すると共に、巡回時間をリセットすることが可能となる。
【００４５】
図５は、本発明の動作説明フローチャート（その３）を示す。
図５において、Ｓ３１は、ログの採取を行う。これは、既述した積算時間のログを採取する。
【００４６】
Ｓ３２は、平均算出する。これは、Ｓ３１で採取した多数の積算時間の平均値を算出する。
【００４７】
Ｓ３３は、平均値を巡回時間に設定する。これは、Ｓ３２で算出した積算時間の平均値を、既述した図３の巡回時間として設定する。
【００４８】
以上によって、既述した図３の積算時間のログを採取し、その平均値を算出して巡回時間を動的に設定することが可能となる。
【００４９】
図６は、本発明の表示例を示す。ここでは、携帯端末１の表示装置２上に表示する表示例であって、図示の下記のマークを表示する。
【００５０】
・圏外マーク
・積算時間マーク：
・０：３本の棒を全部未表示
・小：３本の棒のうち左側の１番小さい棒を表示
・中：３本の棒のうち左側から２本の棒を表示
・大：３本の棒の全部の棒を表示
・巡回マーク：
ここで、圏外マークは携帯端末１が現在、通信不可の圏外にある状態を示す。積算時間マークは既述した圏外に存在した時間を積算した積算時間をマークで表したものである。巡回マークは積算時間が巡回時間を経過かつ圏内のときにセンタ接続して電子メールなどのステータスを自動受信して当該ステータスを表示する機能が動作中である旨を表す。
【００５１】
【発明の効果】
以上説明したように、本発明によれば、携帯端末１を持参して移動中に圏外に出たときの時間を積算して表示すると共に巡回時間となったときに無線で自動的に基地局３を介してセンタ４に問い合わせて電子メールなどの存在を確認する構成を採用しているため、圏外のときに受信した電子メールなどについて長時間の間その存在に気が付かない事態を解消することが可能となる。
【図面の簡単な説明】
【図１】本発明のシステム構成図である。
【図２】本発明の動作説明フローチャートである。
【図３】本発明の説明図である。
【図４】本発明の動作説明フローチャート（その２）である。
【図５】本発明の動作説明フローチャート（その３）である。
【図６】本発明の表示例である。
【符号の説明】
１：携帯端末
１１：圏外時間検出手段
１２：巡回時間算出手段
１３：センタ接続手段
１４：送受信手段
２：表示装置
３：基地局
４：センタ
【図１】
2004080368.tif 000003
【図２】
2004080368.tif 000004
【図３】
2004080368.tif 000005
【図４】
2004080368.tif 000006
【図５】
2004080368.tif 000007
【図６】
2004080368.tif 000008